(57)【要約】【課題】湾曲した表示部に表示された画像の視認性が悪い場合に、他の表示部を用いずとも視認性を向上させることができる表示制御装置を提供する。【解決手段】湾曲した表示部に所定の表示領域で画像を表示させた状態において被検出対象の往復動作を検出する往復動作検出部と、前記往復動作検出部による検出に基づいて前記所定の表示領域よりも表示範囲を狭めて前記表示部に画像を表示させる表示制御部と、を備える表示制御装置としている。【選択図】図１
2015191516.tif 000002
【特許請求の範囲】
【請求項１】
湾曲した表示部に所定の表示領域で画像を表示させた状態において被検出対象の往復動作を検出する往復動作検出部と、
前記往復動作検出部による検出に基づいて前記所定の表示領域よりも表示範囲を狭めて前記表示部に画像を表示させる表示制御部と、を備える表示制御装置。
【請求項２】
前記被検出対象を含んだ対象物の位置を検出し、その位置検出結果に応じて前記所定の表示領域を決定する表示領域決定部を更に備えることを特徴とする請求項１に記載の表示制御装置。
【請求項３】
前記表示制御部は、前記所定の表示領域から前記対象物の前記位置検出結果に応じた領域を除外することで表示範囲を狭めることを特徴とする請求項２に記載の表示制御装置。
【請求項４】
前記表示制御部は、前記往復動作検出部によって往復動作が検出されなくなるまで、表示範囲を狭めることを繰り返すことを特徴とする請求項１〜請求項３のいずれか１項に記載の表示制御装置。
【請求項５】
請求項１〜請求項４のいずれか１項に記載の表示制御装置と、湾曲可能な表示部と、を備える表示装置。
【発明の詳細な説明】
【技術分野】
【０００１】
本発明は、表示制御装置に関する。
【背景技術】
【０００２】
従来、柔軟に変形可能な表示装置であるフレキシブルディスプレイが知られている。
【０００３】
例えば、特許文献１には、フレキシブルディスプレイを車両室内画像表示システムに適用した発明が開示されている。この車両室内画像表示システムは、フロントウィンドウと、インストルメントパネルと、上記フロントウィンドウに取り付けられて光の透過・非透過を切替え可能な液晶スクリーンと、上記インストルメントパネルに取り付けられたフレキシブルディスプレイを備える。
【０００４】
上記フレキシブルディスプレイの表示パネルは、上記インストルメントパネルの上面に配置された第１の表示部と、上記インストルメントパネルの前面に配置された第２の表示部を含んでいる（即ち、フレキシブルディスプレイは湾曲している）。そして、上記液晶スクリーンは、光を非透過としたときに上記第１の表示部に表示された画像を上記フロントウィンドウで鏡面反射させて乗員に視認させることが可能な位置に配置されている。
【０００５】
このような構成によって、車両の乗員は、インストルメントパネルの前面に配置された第２の表示部の画像を直接見ることができる。また、インストルメントパネルの上面に配置された第１の表示部の画像は、乗員が直接見ると非常に浅い角度で見ることになり、視認性が非常に劣るが、光を非透過とした液晶スクリーンを介して、視認性良く見ることができる。
【先行技術文献】
【特許文献】
【０００６】
【特許文献１】特開２０１１−１８３９１６号公報
【発明の概要】
【発明が解決しようとする課題】
【０００７】
しかしながら、上記特許文献１の技術では、視認性の悪い第１の表示部で表示される画像の視認性を向上させるために、フレキシブルディスプレイの他に液晶スクリーンを必要とする問題がある。
【０００８】
上記問題点に鑑み、本発明は、湾曲した表示部に表示された画像の視認性が悪い場合に、他の表示部を用いずとも視認性を向上させることができる表示制御装置を提供することを目的とする。
【課題を解決するための手段】
【０００９】
上記目的を達成するために本発明の一態様に係る表示制御装置は、湾曲した表示部に所定の表示領域で画像を表示させた状態において被検出対象の往復動作を検出する往復動作検出部と、前記往復動作検出部による検出に基づいて前記所定の表示領域よりも表示範囲を狭めて前記表示部に画像を表示させる表示制御部と、を備える構成としている。
【００１０】
湾曲した表示部に所定の表示領域で画像が表示された状態で、利用者が画像の視認性が悪いために被検出対象（例えば上半身、顔等）の往復動作を行った場合、上記所定の表示領域よりも表示範囲を狭めて画像を表示させる。従って、利用者は画像の全体を視認性良く見ることが可能となる。
【００１１】
また、上記構成において、前記被検出対象を含んだ対象物の位置を検出し、その位置検出結果に応じて前記所定の表示領域を決定する表示領域決定部を更に備えることとしてもよい。
【００１２】
このような構成によれば、被検出対象を含んだ対象物（例えば利用者の全身、顔等）の位置に依らず、上記所定の表示領域で表示された画像全体の視認性を向上できる。
【００１３】
また、上記構成において、前記表示制御部は、前記所定の表示領域から前記対象物の前記位置検出結果に応じた領域を除外することで表示範囲を狭めることとしてもよい。
【００１４】
上記対象物の位置に応じて見えにくい領域は異なるので、このような構成によれば、上記対象物の位置に依らず、表示範囲を狭めた後の表示領域における画像全体の視認性を向上できる。
【００１５】
また、上記いずれかの構成において、前記表示制御部は、前記往復動作検出部によって往復動作が検出されなくなるまで、表示範囲を狭めることを繰り返すこととしてもよい。
【００１６】
このような構成によれば、より確実に利用者は表示された画像の全体を視認性良く見ることが可能となる。
【００１７】
また、本発明の一態様に係る表示装置は、上記いずれかの構成の表示制御装置と、湾曲可能な表示部と、を備えることとしている。
【発明の効果】
【００１８】
本発明によれば、湾曲した表示部に表示された画像の視認性が悪い場合に、他の表示部を用いずとも視認性を向上させることができる。
【図面の簡単な説明】
【００１９】
【図１】本発明の第１実施形態に係るフレキシブルディスプレイのブロック図である。
【図２】本発明の第１実施形態に係る曲げセンサーの配列を示す上面図である。
【図３Ａ】本発明の第１実施形態に係る初期表示領域による画像表示の一例を示す上面図である。
【図３Ｂ】本発明の第１実施形態に係る初期表示領域による画像表示の一例を示す上面図である。
【図４】本発明の第１実施形態に係る表示領域制御に関するフローチャートである。
【図５】本発明の第１実施形態に係る表示領域制御の一例を示す上面図である。
【図６】本発明の第１実施形態に係る表示領域制御の一例を示す上面図である。
【図７】本発明の第２実施形態に係るフレキシブルディスプレイのブロック図である。
【図８】本発明の第２実施形態に係る往復動作検出の一例を示す上面図である。
【図９】本発明の第３実施形態に係る表示領域制御の一例を示す側面図である。
【発明を実施するための形態】
【００２０】
＜第１実施形態＞
以下に本発明の一実施形態について図面を参照して説明する。本発明の第１実施形態に係るフレキシブルディスプレイの概略構成を示すブロック図を図１に示す。図１に示すフレキシブルディスプレイ１０は、表示制御装置１と、表示部２と、近接センサー３Ｒ、３Ｌと、曲げセンサー群４Ｆ、４Ｂと、を備えている。
【００２１】
表示部２は、フレキシブル基板と、当該フレキシブル基板の片面に形成される表示素子を備える。フレキシブル基板は、例えばポリイミドなどのプラスチックにより形成される。表示素子は、例えば有機発光素子と駆動回路部を含んでいる。駆動回路部は、薄膜トランジスタを含んで有機発光素子を駆動する。即ち、有機発光素子は、駆動回路部から出力された駆動信号に基づき発光し、画像を表示する。
【００２２】
表示装置１は、表示制御部１Ａ、往復動作検出部１Ｂ、及び表示領域決定部１Ｃを備えている。表示制御部１Ａは、入力される画像信号に基づき表示部２に表示制御信号を送ることで、表示部２での表示を制御する。表示領域決定部１Ｃは、表示部２に画像を表示させる表示領域を決定するものである。また、往復動作検出部１Ｂは、表示領域決定部１Ｃによって決定された表示領域での表示では視認性が悪い場合に利用者（視認者）が行う往復動作（例えば上半身を左右に動かす動作等）を検出するものである。
【００２３】
曲げセンサー群４Ｆ、４Ｂについては、図２を用いて説明する。図２は、表示部２を上面から視たところを示す。表示部２の画像が表示される表示面Ｓ側には、左右方向に複数並設される曲げセンサーから成る曲げセンサー群４Ｆが設けられる。また、表示部２の表示面Ｓとは反対側の面には、左右方向に複数並設される曲げセンサーから成る曲げセンサー群４Ｂが設けられる。なお、曲げセンサー群４Ｂ、４Ｆは、画像の視認の妨げとならないよう、各面の上端（図２の紙面手前側端）または下端（図２の紙面奥側端）に配置される。
【００２４】
曲げセンサーは、曲率に比例して電気抵抗値が変化するものが一般的である。曲げセンサー群４Ｆ、４Ｂを構成する各曲げセンサーは、一方向への曲げに対してのみ電気抵抗値が変化するものを使用している（例えばSparkFun Electronics製曲げセンサーSEN-08606）。
【００２５】
これにより、例えば図２における実線矢印方向に表示部２を曲げ、即ち、表示面Ｓ側が凸となる形状に曲げた場合、曲げセンサー群４Ｆの各曲げセンサーの電気抵抗値は変化するが、曲げセンサー群４Ｂの各曲げセンサーの電気抵抗値は変化しない。逆に、図２における破線矢印方向に表示部２を曲げ、即ち、表示面Ｓ側が凹となる形状に曲げた場合、曲げセンサー群４Ｆの各曲げセンサーの電気抵抗値は変化しないが、曲げセンサー群４Ｂの各曲げセンサーの電気抵抗値は変化する。
【００２６】
従って、曲げセンサー群４Ｆ、４Ｂによって、表示部２の湾曲方向と湾曲度合いを検出することができる。なお、曲げ方向に対して反応が異なる曲げセンサー（例えば特開２０１１−１８０１３３号公報）を用いる場合は、表示部２の片面のみに曲げセンサーを並設すればよい。
【００２７】
近接センサー３Ｒ、３Ｌは、所定範囲内での物体の近接を検出するセンサーである（例えば赤外線方式等）。ここで、図３Ａに表示部２を上面から視た図を示すが、画像の視認の妨げとならないよう、近接センサー３Ｒは表示部２の右端に、近接センサー３Ｌは表示部２の左端に配置される（図３Ａ等では、曲げセンサーは図示を省略している）。なお、近接センサーは、表示部２から分離して利用者が自由に配置できるようにしてもよいし、表示部２に固定されているものとしてもよい。
【００２８】
次に、このような構成であるフレキシブルディスプレイ１０による表示領域制御について図４に示すフローチャートを用いて説明する。図４に示すフローチャートの処理は、例えば定期的に行われるものとする。
【００２９】
図４の処理が開始されると、まずステップＳ１で、表示領域決定部１Ｃは、曲げセンサー群４Ｆ、４Ｂの出力に基づき表示部２の湾曲方向・湾曲度合いを検出し、それと共に近接センサー３Ｒ、３Ｌの出力に基づき利用者（全身）の位置を検出する。そして、表示領域決定部１Ｃは、各検出結果に基づき表示部２の表示面Ｓにおける表示領域を決定する。ここでは、表示面Ｓに表示された画像の全体が利用者に視認可能と推定される領域に表示領域を決定する。
【００３０】
図３Ａ（表示面Ｓ側が凹となるよう表示部２が湾曲した状態）に示す例では、利用者Ｐが左右方向の略中央に位置する場合を示す（近接センサー３Ｒ、３Ｌ共に検出無の出力となる）。この場合、表示面Ｓの左右両端は視認性が悪いとして、その部分の領域を除外した領域Ｒ１を表示領域として決定する。なお、図３Ｂは、表示面Ｓ側が凸となるよう表示部２が湾曲した状態で、利用者Ｐが左右方向の略中央に位置する場合に表示領域として決定される領域Ｒ１を示す。
【００３１】
上記のように表示領域決定部１Ｃにより表示領域が決定されると、表示制御部１Ａは、決定された表示領域にて表示部２に画像を表示させる。ここで表示部２の表示面Ｓに表示された画像を利用者Ｐが見て、もし表示画像の端部が見えにくい場合、利用者Ｐは往復動作を行うことがある。
【００３２】
例えば、図５の上段は、図３Ａで示した利用者Ｐが左右方向の略中央に位置する場合に設定される表示領域Ｒ１での画像表示を示す。ここで利用者Ｐは、表示領域Ｒ１の右端が見えにくい場合は上半身を左側へ動かし、表示領域Ｒ１の左端が見えにくい場合は上半身を右側へ動かす。図５の上段は、このような利用者Ｐによる上半身の左右方向の往復運動を示す。
【００３３】
このような往復運動は、近接センサー３Ｒ、３Ｌ共に検出されない状態から、近接センサー３Ｒ（又は３Ｌ）のみによる近接検出の後、近接センサー３Ｒ、３Ｌ共に検出されない状態を経て、近接センサー３Ｌ（又は３Ｒ）のみにより近接が検出され、近接センサー３Ｒ、３Ｌ共に検出されない状態となることで検出される。この場合、被検出対象である上半身の往復動作が検出されることになる（なお、利用者の全身が左右方向に移動した場合も往復運動が検出される）。また、例えば上記のような近接センサーの検出状態の変化を所定の複数回検出できた場合に、往復動作がなされたとして検出してもよい。
【００３４】
ステップＳ２で、往復動作検出部１Ｂによって近接センサー３Ｒ、３Ｌからの出力に基づき利用者による往復動作（被検出対象の往復動作）が検出された場合（ステップＳ２のＹ）、ステップＳ３に進む。ステップＳ３で、表示制御部１Ａは、先にステップＳ１で決定された表示領域よりも表示領域を狭めて表示部２に画像を表示させる。
【００３５】
例えば、図５の場合は、表示領域Ｒ１での画像表示では左右端部の画像が見えにくいため、利用者Ｐが上半身を往復動作させるので（図５上段）、表示領域Ｒ１から見えにくい左右端部の表示領域は除外することにより、表示領域Ｒ２に狭めている。これにより、利用者Ｐは、左右方向の略中央位置において表示画像全体を視認性良く見ることができる。
【００３６】
また、ステップＳ３の後、狭めた表示領域による画像表示でもまだ見えにくい部分があり、利用者による往復動作が更に検出された場合は（ステップＳ４のＹ）、ステップＳ３に戻り、更に表示領域を狭める（図５の例であれば、表示領域Ｒ２から更に左右端部を除外して狭める）。これにより、より確実に利用者は表示画像の全体を視認性良く見ることができる。
【００３７】
そして、往復動作が検出されなくなれば（ステップＳ４のＮ）、処理は終了となり（エンド）、表示領域が確定される。なお、ステップＳ１の後、往復動作が検出されない場合は（ステップＳ２のＮ）、そのまま処理は終了し（エンド）、ステップＳ１で決定された表示領域にて確定される。
【００３８】
また、図６の上段は、ステップＳ１にて、利用者Ｐが左端に位置することで、近接センサー３Ｒにより利用者Ｐの近接が検出され、それに応じて表示領域として表示領域Ｒ１’が決定されたことを示す。表示領域Ｒ１’は、左端に位置する利用者Ｐにとっては右端の画像は見えやすいが、左端の画像が見えにくいので、表示面Ｓのうち左端の領域はより除外し、右端の領域は広げるような表示領域としている（図３Ａとの比較）。
【００３９】
ここで、利用者Ｐが表示領域Ｒ１’の左端の画像が見えにくい場合、一旦右側へ移動し、再び左端に戻る動作が行われることがある。このときは、近接センサー３Ｒで検出されていたものが一旦検出されなくなり、再び検出されることで、利用者Ｐの全身が被検出対象として往復動作が検出される（ステップＳ２のＹ）。
【００４０】
この場合、図６の下段のように、表示領域Ｒ１’から見えにくい左端部の領域を除外することで表示領域を表示領域Ｒ２’に狭める（ステップＳ３）。これにより、利用者Ｐは、左端位置にいながら表示画像の全体を視認性良く見ることができる。即ち、図５のように、利用者Ｐが左右方向の略中央に位置したときは表示領域の左右両端を除外して狭め、図６のように左端に位置したときは表示領域の左端のみを除外して狭め、利用者Ｐの位置に応じた領域を除外することで表示領域を狭める。利用者Ｐの位置に応じて見えにくい領域が異なるからである。
【００４１】
＜第２実施形態＞
次に、本発明に係る第２実施形態について説明する。本実施形態に係るフレキシブルディスプレイの概略構成を示すブロック図を図７に示す。図７に示すフレキシブルディスプレイ１０’は、第１実施形態に係る構成（図１）との相違点として、近接センサーの代わりにカメラ部５を備えている。
【００４２】
カメラ部５は、固体撮像素子（ＣＭＯＳやＣＣＤ等）を含んだ撮像部として機能する。カメラ部５により撮像されて生成された撮像データは、表示領域決定部１Ｃ及び往復動作検出部１Ｂに送られる。
【００４３】
本実施形態においても図４と同様の処理が行われる。ステップＳ１では、表示領域決定部１Ｃは、カメラ部５から入力される撮像データに基づき、例えば顔認識処理を行い、認識された利用者の顔の位置を検出する。そして、検出された顔の位置に応じて表示領域を決定する。なお、顔認識以外にも、例えば人体の全身を認識する処理を行い、全身の位置を検出してもよい。
【００４４】
図８に示す例では、カメラ部５による撮像によって、利用者Ｐの顔が左右方向の略中央に位置することが検出され、それに応じて表示領域Ｒ１が設定されている。
【００４５】
そして、ステップＳ２で、往復動作検出部１Ｂは、カメラ部５から入力される撮像データに基づき、例えば顔における左右両目の認識処理を行い、左右両目間の中間位置を検出し、検出された中間位置の変化に基づき顔の往復運動を検出する。
【００４６】
例えば図８に示す例では、利用者Ｐが表示領域Ｒ１の左右両端が見えにくいとして顔を首回りに往復回転させた様子を示す。このような場合でも、上記左右両目間の中間位置は往復するように変化するので、顔の往復回転を検出することができる。即ち、被検出対象である顔の往復動作が検出される。なお、利用者Ｐが上半身を左右に動かしたような場合でも、上記左右両目間の中間位置は往復するよう変化するので、上半身の往復動作を検出できる。
【００４７】
ステップＳ２で往復動作が検出された場合（ステップＳ２のＹ）、ステップＳ３に進み、表示制御部１Ａは、表示領域を狭めて表示部２に画像表示させる。
【００４８】
このように本実施形態では、カメラ部５を利用することで、近接センサーを用いた第１実施形態に比べて、視認性が悪い場合の利用者による往復動作をより広範に検出できる。従って、より確実に表示領域を狭めて、利用者は画像全体を視認性良く見ることができる。
【００４９】
＜第３実施形態＞
次に、本発明の第３実施形態について説明する。第１実施形態では、表示部を左右方向に沿って湾曲させるものを例として説明したが、上下方向に沿って表示部を湾曲させる実施形態でもよい。
【００５０】
例えば図９は、表示部２’を側面から視たところの図であり、表示部２’を上下方向に沿って湾曲させている（表示面Ｓ側が凸となるよう湾曲）。また、カメラ部５’が表示部２’の側面に配置されている。
【００５１】
図９の上段では、カメラ部５’による撮像に基づく例えば顔認識処理によって利用者Ｐの顔の位置が検出され、顔の位置が下側にあるので、表示面Ｓにおいて見えにくい上方の領域は除外した表示領域Ｒ３が設定される。
【００５２】
ここで、例えばカメラ部５’による撮像に基づき利用者Ｐの左右両目を認識する処理を行い、検出された左右両目間の中間位置の上下方向往復移動を検出すると、利用者Ｐの顔が上下方向に往復したとして（図９の上段）、表示領域Ｒ３から表示領域Ｒ４に表示領域を狭める（図９の下段）。利用者Ｐが顔の往復動作を行ったのは、表示領域Ｒ３の上端部が見えにくいためであり、表示領域Ｒ３のうち上端部を除外することで表示領域Ｒ４に狭めている。これにより、利用者Ｐは、表示画像の全体を視認性良く見ることができる。
【００５３】
以上、本発明の実施形態について説明したが、本発明の趣旨の範囲内であれば、実施形態は種々の変形が可能である。
【００５４】
例えば、本発明は、フレキシブルディスプレイに限らず、変形が不可能な湾曲した表示部を備えた表示装置に適用することも可能である。
【符号の説明】
【００５５】
１  表示制御装置
１Ａ  表示制御部
１Ｂ  往復動作検出部
１Ｃ  表示領域決定部
２  表示部
３Ｒ、３Ｌ  近接センサー
４Ｆ、４Ｂ  曲げセンサー群
５  カメラ部
１０  フレキシブルディスプレイ
【図１】
2015191516.tif 000003
【図２】
2015191516.tif 000004
【図３Ａ】
2015191516.tif 000005
【図３Ｂ】
2015191516.tif 000006
【図４】
2015191516.tif 000007
【図５】
2015191516.tif 000008
【図６】
2015191516.tif 000009
【図７】
2015191516.tif 000010
【図８】
2015191516.tif 000011
【図９】
2015191516.tif 000012